(57)【要約】  本発明は、融合表示システムを公開し、融合表示システムは、構造をを定位するするプレートと、構造を定位するプラートに固定するスクリーンと、構造を定位するプレートに設けられ、画像光線をスクリーンの後ろまで投射する投射ユニットと、構造を定位するプレートに設けられ、ライト光線をスクリーンの後ろまで投射するライトユニットと、ここで、前記投射ユニットより投射された光線は前記ライトユニットより投射された光線の内部に位置し、投射ユニットとライトユニットとにそれぞれ連接され、入力信号を受信し、受信された入力信号を解析して、投射ユニットに投射された投影画像及びライトユニットの作動状態を制御する制御ユニットと、を含み、入射された画像光線及び／又はライト光線はスクリーンの一面に入射し、スクリーンを透過することにより、平行光を形成し、スクリーンの他面から出射し、スクリーンの光の透過率は４０％から７０％までの範囲にある。本発明により、映像を表示する時に、全体の環境光を形成することができ、映像の視覚効果を引き立てるようになり、ユーザによりよい視覚体験を提供できるようになる。
2018521359.tif 000002
【特許請求の範囲】
【請求項１】
融合表示システムにおいて、
構造を定位するプレートと、
構造を定位するプレートに固定するスクリーンと、
構造を定位するプレートに設けられ、画像光線をスクリーンの後ろまで投射する投射ユニットと、
構造を定位するプレートに設けられ、ライト光線をスクリーンの後ろまで投射するライトユニットと、
ここで、前記投射ユニットより投射された光線は前記ライトユニットより投射された光線の内部に位置し、
前記投射ユニットと前記ライトユニットとにそれぞれ連接され、入力信号を受信し、受信された入力信号を解析して、投射ユニットにより投射された投影画像及びライトユニットの作動状態を制御する制御ユニットと、
を具備し、
投射された画像光線及び／又はライト光線はスクリーンの一面に入射し、スクリーンを透過することにより、平行光を形成し、スクリーンの他面から出射し、スクリーンの光の透過率は４０％から７０％までの範囲にある、ことを特徴とする融合表示システム。
【請求項２】
前記スクリーンは平面である、ことを特徴とする請求項１記載の融合表示システム。
【請求項３】
前記スクリーンは単曲面であり、投射された画像光線及び／又は前記ライト光線は前記スクリーンの凹む面に入射し、前記スクリーンを透過することにより、平行光を形成して、前記スクリーンの盛り上がる面から出射する、ことを特徴とする請求項１記載の融合表示システム。
【請求項４】
前記スクリーンは双曲面であり、投射された前記画像光線及び／又は前記ライト光線は前記スクリーンの凹む面に入射し、前記スクリーンを透過して、平行光を形成して、前記スクリーンの盛り上がる面から出射する、ことを特徴とする請求項１記載の融合表示システム。
【請求項５】
前記投射ユニットは前記構造を定位するプレートに設けられ、前記ライトユニットはＬＥＤライト群を用い、前記ＬＥＤライト群は前記投射ユニットの外部に設けられる、ことを特徴とする請求項１記載の融合表示システム。
【請求項６】
前記スクリーンはポリメチルメタアクリレートと２酸化珪で出来上がるものである、ことを特徴とする請求項１記載の融合表示システム。
【請求項７】
前記入力信号は前記ライト信号及び／又は前記投影信号を含み、前記制御ユニットは前記入力信号を分離して、前記ライト信号及び／又は前記投影信号を取得し、
入力信号が前記ライト信号である場合、前記制御ユニットは前記ライト信号を前記ライトユニットに送信し、
入力信号が前記投影信号である場合、前記制御ユニットは前記投影信号を前記投射ユニットに送信し、
入力信号は前記ライト信号と前記投影信号である場合、前記制御ユニットは信号の同期ロジック関係により前記ライト信号を前記ライトユニットに送信し、前記投影信号を前記投射ユニットに送信する、
ことを特徴とする請求項１記載の融合表示システム。
【請求項８】
前記投射ユニットはデジタル光処理装置を使用する、ことを特徴とする請求項１記載の融合表示システム。
【発明の詳細な説明】
【技術分野】
【０００１】
本発明は、表示分野に関し、特に照明と表示を相互に切り換えることができる融合表示システムに関する。
【背景技術】
【０００２】
現在の投影技術は、主に、映像信号を処理した後の光を投影するものであり、繊細な映像画面を表示することができるが、既存の投影技術は、ただ映像に対して投影して表示し、映像を投影表示する同時に、全体の環境光を作ることができない。あるいは、環境光を作ることができる装置の表示システムであっても、表示部分とライト部分を分割することにより処理し、融合処理により、視覚効果を引き立てて、ユーザによりよい視覚体験を提供するものではない。
【発明の概要】
【０００３】
既存の投影技術に存在する上述問題に対して、本発明は投影を表示すると同時に、環境光の雰囲気のある効果を作り出すことができる融合表示システムを提供する。
【０００４】
具体的な技術方案は以下通りであり、すなわち、
融合表示システムは、
構造を定位するプレートと、
構造を定位するプラートに固定するスクリーンと、
構造を定位するプレートに設けられ、画像光線をスクリーンの後ろまで投射する投射ユニットと、
構造を定位するプレートに設けられ、ライト光線をスクリーンの後ろまで投射するライトユニットと、
ここで、投射ユニットより投射された光線はライトユニットより投射された光線の内部に位置し、
投射ユニットとライトユニットとにそれぞれ連接され、入力信号を受信し、受信された入力信号を解析して、投射ユニットの投影画像及びライトユニットの作動状態を制御する制御ユニットと、
を具備し、
投射された画像光線及び／又は前記ライト光線はスクリーンの一面に入射し、スクリーンを透過することにより、平行光を形成し、スクリーンの他面から出射し、スクリーンの光の透過率は４０％から７０％までの範囲にある。
【０００５】
好ましくは、前記スクリーンは平面である。
【０００６】
好ましくは、前記スクリーンは単曲面であり、入射された画像光線及び／又は前記ライト光線は前記スクリーンの凹む面に入射し、前記スクリーンを透過することにより、前記スクリーンの盛り上がる面から出射する。
【０００７】
好ましくは、前記スクリーンは双曲面であり、投射された前記画像光線及び／又は前記ライト光線は前記スクリーンの凹む面に入射し、前記スクリーンを透過することにより、前記スクリーンの盛り上がる面から出射する。
【０００８】
好ましくは、前記投射ユニットは構造を定位するプレートの上に設けられ、前記ライトユニットはＬＥＤライト群を用い、前記ＬＥＤライト群は前記投射ユニットの外部に設けられる。
【０００９】
好ましくは、前記スクリーンはポリメチルメタアクリレートと２酸化珪素で出来上がるものである。
【００１０】
好ましくは、前記入力信号は前記ライト信号及び／又は前記投影信号を含み、前記制御ユニットは前記入力信号を分離して、前記ライト信号及び／又は前記投影信号を取得し、
入力信号が前記ライト信号である場合、前記制御ユニットは前記ライト信号を前記ライトユニットに送信し、
入力信号が前記投影信号である場合、前記制御ユニットは前記投影信号を前記投射ユニットに送信し、
入力信号は前記ライト信号と前記投影信号である場合、前記制御ユニットは信号の同期ロジック関係により前記ライト信号を前記ライトユニットに送信し、前記投影信号を前記投射ユニットに送信する。
【００１１】
好ましくは、前記投射ユニットはデジタル光処理設備を使用する。
【００１２】
本発明では、制御ユニットにより入力信号を解析して、投射ユニットにより投射された投影画像及びライトユニットの作動状態を制御し、スクリーンにより、投射ユニットにより投射された画像光線とライトユニットにより投射されたライト光線を十分に融合させることができ、映像を表示する同時に全体の環境光の雰囲気のある効果を作り出すことができるようになり、これにより、映像の視覚効果を引き立てて、ユーザによりよい視覚体験を提供することができる。
【図面の簡単な説明】
【００１３】
【図１】図１は、本発明の一実施例の融合表示システムのブロック図である。
【図２】図２は、本発明の一実施例の融合表示システムの構造図である。
【図３】図３は、本発明の融合表示システムの構造側面図である。
【発明を実施するための形態】
【００１４】
以下は、本発明の実施例の付図を参照しながら、本発明の実施例にある技術案を明確に、完全に記述するが、明らかに、記述された実施例は単に本発明の一実施例であり、全ての実施例ではない。本発明の実施例に基づいて、当業者が創造的な作動をすることなく取得した他の実施例は、全て本発明の保護範囲内に属する。
【００１５】
説明において、衝突しない場合には、本発明の実施例及び実施例の特徴を互いに組み合わせることができる。
【００１６】
以下は、付図と具体的な実施例により、本発明をより詳しく説明するが、本発明を限定するものではない。
【００１７】
図１−３に示したように、本発明の融合表示システムであり、
１つの構造を定位するプレート６と、
構造を定位するプレート６に固定する１つのスクリーン５と、
構造を定位するプレート６に設けられ、画像光線をスクリーン５の後ろまで投射する１つの投射ユニット２と、
構造を定位するプレート６に設けられ、ライト光線をスクリーン５の後ろまで投射する１つのライトユニット３と、
ここで、投射ユニット２より投射された光線はライトユニット３より投射された光線の内部に位置し、
投射ユニット２とライトユニット３とにそれぞれ連接され、入力信号を受信し、受信された入力信号を解析して、投射ユニット２の投影画像及びライトユニット３の作動状態を制御する１つの制御ユニット１と、
を具備し、
さらに、投射された画像光線及び／又は前記ライト光線はスクリーン５の一面に入射し、スクリーン５を透過することにより、平行光を形成し、スクリーン５の他面から出射し、スクリーンの光の透過率は４０0％から７０％までの範囲にある。
【００１８】
さらに、実際に使用する時には、ライトユニット３と投射ユニット２の特性により相応しい光の透過率を合わせることができ、スクリーン５の光の透過率は６０％である場合に効果が最もよい。
【００１９】
図２と図３に示したように、融合表示システムを取り付ける時に、まずＬＥＤライト群を基板４に設けて、そして基板４を構造を定位するプレート６に固定することができ、基板４に投射光線を通過させるため、丸い穴を具備し、ライト光線をスクリーン５の後ろまで投射するライトユニット３は投射ユニット２の外部に位置する。
【００２０】
本実施例では、制御ユニット１により入力信号を解析して、投射ユニット２により投射された投影画像及びライトユニット３の作動状態を制御し、スクリーン５により、投射ユニット２により投射された画像光線とライトユニット３により投射されたライト光線を十分に融合させることができ、映像を表示する同時に全体の環境光の雰囲気のある効果を作り出すことができるようになり、これにより、映像の視覚効果を引き立てて、ユーザによりよい視覚体験を提供することができる。
【００２１】
好ましい実施例では、スクリーン５は平面である。
【００２２】
図２と図３に示したように、好ましい実施例では、スクリーン５は双曲面あるいは単曲面であり、投射された画像光線及び／又はライト光線は前記スクリーン５の凹む面に入射し、前記スクリーン５を透過することにより、平行光を形成し、スクリーン５の盛り上がる面から出射する。
【００２３】
本実施例では、双曲面を用いたスクリーン５は投影画像のグラデーションを目立つことができ、よって視聴者の感覚体験を改善することができるようになる。
【００２４】
好ましい実施例では、投射ユニット２は構造を定位するプレート６上に設けられ、ライトユニット３はＬＥＤライト群を用い、ＬＥＤライト群は投射ユニットの外部に設けられる。
【００２５】
ＬＥＤライト群を取り付ける時に、まずＬＥＤライト群を基板４にアレンジし、そして基板４を構造を定位するプレート６に固定し、最後に投射ユニット２を構造を定位するプレート６に固定する。投射ユニット２は実際のニーズに応じて、投影画面をはっきり映し出すには、構造を定位するプレート６の下部、中部あるいは上部に設けられることができる。
【００２６】
本実施例では、ＬＥＤライト群は赤色、緑色、青色（Ｒ、Ｇ、Ｂ）を発光する能力があるＬＥＤライトビーズで構成することができ、１つのライト群はライト信号により１６００万種類の色を発光することができる。ＬＥＤは第４代の光源とも言われており、省エネ、環境保護、低消費電力、高輝度、色がカラフルで、良好な安定性と動的な変化が速いなどの利点を具備する。
【００２７】
好ましい実施例では、前記スクリーン５はポリメチルメタアクリレートと２酸化珪素で出来上がる。
【００２８】
本実施例では、スクリーン５を製造する時に、ポリメチルメタクリレートにある種の軟質光成分（２酸化ケイ素）を添加する必要があり、表面スプレーではなくて、それに形成されたスクリーン５は異なる材料で接合されるものではなく、一体化した１つのプレートであり、投射ユニット２から出力された光線とライトユニット３から出力された光線とを効果的に融合させて最高的な融合視覚効果を得るために、製造プロセスでは、光の透過率と柔らかさを絶えずに調整して検査する必要がある。
【００２９】
さらに、本発明は投射ユニット２が単独で作動する場合には、スクリーン５に表示される画像を高輝度且つ高精細化に保つことができ、ライトユニット３が単独で作動する場合には、スクリーン５に表示される光に均一性と柔軟性を保たせることができ、よって、ハイライトの眩しい現象を排除することができる。
【００３０】
好ましい実施例では、入力信号はライト信号及び／又は投影信号を含み、制御ユニット１は入力信号を分離して、ライト信号及び／又は投影信号を取得し、
入力信号がライト信号である場合、制御ユニット１はライト信号をライトユニット３に送信し、
入力信号が投影信号である場合、制御ユニット１は投影信号を投射ユニット２に送信し、
入力信号はライト信号と投影信号である場合、制御ユニット１は信号の同期ロジック関係によりライト信号をライトユニット３に送信し、投影信号を投射ユニット２に送信する。
【００３１】
本実施例では、入力信号はライト信号及び／又は投影信号を含むことができ、制御ユニット１により入力信号を分離し、よって、ライト信号及び／又は投影信号を取得して、信号の同期ロジックによって、それぞれにライト信号をライトユニット３に送信し、投影信号を投射ユニット２に送信し、すなわち、１つの実行期間ではただ現在の投影信号フレームと相応しいＬＥＤ信号とを相応の装置へ送信し、且つ、相応の操作を行い、そして次のフレームの実行期間になると両者の入力信号を同時に更新する。
【００３２】
好ましい実施例では、投射ユニット２はデジタル光処理（Digital Light Procession、ＤＬＰ）装置を使用する。
【００３３】
本実施例では、ＤＬＰ技術は、映像信号をデジタル処理した後に、光を投影することに用いられ、画質を高精細化レベルに達することができる。
【００３４】
作業プロセスでの融合表示システムは、良質な投影画面を表示する又は高輝度を保つため、ＤＬＰ装置の投影スクリーン５として使用されてもよく、あるいは、スクリーン５の後ろに位置するＬＥＤアレイライトをスクリーン５に均等にアレンジするように、ＬＥＤソフトライトスクリーンとして単独で使用されてもよく、また、 ＤＬＰ装置とＬＥＤライト群とは同時に作動する場合に使用されてもよく、ＤＬＰ投影エリアにＬＥＤのバックライトが存在する場合であっても、本発明のスクリーン５の使った材料や構造の特性により、表示された画面に影響を与えず、それに、制御ユニット１により出力された信号によって、投影エリアの画面に合わせてＬＥＤライトの色、明るさ、リズムを切り替えることができ、よって、光線と色との融合、及び投影画面とライト主題との融合を実現することができる。
【００３５】
上記の技術案に基づいて、さらに、半球形の曲面をスクリーン５として、ＬＥＤライト群とＤＬＰ装置と共に球の内部に位置する。ＬＥＤライト群は単独で作動する場合、半球形曲面は１つの光源と見なすことができ、色を変えることにより、照明や環境をレンダリングすることができる。ＬＥＤライト群とＤＬＰ装置とは同時に作動する場合、ＤＬＰの投影画面は球形曲面の内壁に投射され、このとき、ＬＥＤライト群の光線とＤＬＰ装置から投射された内容とは同時に球形曲面に現れ、融合表示の効果を呈出するようになる。例えば、ＤＬＰから投影された内容が幾つかの文字である場合、ＬＥＤは異なる色のライトでなる時に、ＬＥＤラント群によって出力された光線は文字の背景になり、文字が表面に浮かぶ視覚効果の代わりに、文字とＬＥＤライト群から出力された光線とは同じ表面に現れ、くっきりとした視覚効果を呈する。ＤＬＰ装置から投射された内容が夕日である場合、ＬＥＤライト群から出力された光線は夕焼けと類似する暖かい光であってもよく、全体が統合されたシーンを呈するようになり、夕日の雰囲気を強調することができる。ＤＬＰ装置から投射された内容がウェーブ信号である場合、ＬＥＤライト群はウェーブの頻度により色を変えることができ、スクリーン５の全体がコーディネートする表示効果を呈することができ、頻度の特徴を直観的に視聴者に呈出することができる。ＤＬＰ装置に待機画面が現れる場合、ＬＥＤライト群は呼吸ライトモードで作動することができ、これにより、スクリーン５の全体は生命力のある待機モードが現れるようになる。
【００３６】
上記述べたのは、単に本発明の好ましい実施例のみであり、本発明の実施例や保護範囲を制限するものではない。当業者が本発明の明細書及び図面の内容を使って均等な置換や変更をすることによって作り出された方案は、全て本発明の保護範囲内に属することを意識すべきである。
【図１】
2018521359.tif 000003
【図２】
2018521359.tif 000004
【図３】
2018521359.tif 000005
【国際調査報告】
2018521359.tif 000006
2018521359.tif 000007
2018521359.tif 000008
2018521359.tif 000009